(57)【要約】【課題】画像出力装置からＨＤＭＩケーブルによって、静止画像が入力される場合に、高画質な画像を表示することを可能とする。【解決手段】表示装置における制御部１１０は、静止画／動画判断部１０８の判断結果が、静止画であった場合に、ＨＤＭＩレシーバ１０２、画像処理部１０３、画像処理部１０４、画像処理部１０５および信号出力部１０７を排他的に１つずつ順番に制御する。また、制御部１１０は、静止画／動画判断部１０８の判断結果が静止画であった場合に、信号線１１４を介して、画像出力装置１１１に、高ビットの映像データを要求する。【選択図】図１
2010004353.tif 000002
【特許請求の範囲】
【請求項１】
入力画像に対して画像処理を行う映像処理装置であって、
外部装置より画像信号を入力する入力手段と、
前記入力手段により入力された画像信号が、静止画像か動画像かを判断する判断手段と、
前記画像信号を処理する少なくとも一つの画像信号処理手段と、
前記画像信号処理手段により処理された画像信号を出力する信号出力手段と、
前記外部装置との間で制御信号を通信する通信制御手段と、
前記判断手段による判断結果が動画像である場合には、前記入力手段、前記画像信号処理手段および前記信号出力手段を並行して稼働させるとともに、入力された画像信号が静止画像である場合には、前記入力手段、前記画像信号処理手段および前記信号出力手段を一つずつ順番に稼働させるように、各手段の稼働と停止を制御する制御手段と、
を備える映像処理装置。
【請求項２】
前記通信制御手段は、前記判断手段による判断結果が静止画像である場合に、前記外部装置に対して、判断結果が動画像の場合よりも高ビットの画像信号を出力するよう要求する制御信号を出力する
ことを特徴とする請求項１に記載の映像処理装置。
【請求項３】
前記通信制御手段は、前記判断手段による判断結果が静止画像である場合に、前記外部装置に対して、判断結果が動画像の場合よりも高解像度の画像信号を出力するよう要求する制御信号を出力する
ことを特徴とする請求項１または２に記載の映像処理装置。
【請求項４】
前記通信制御手段は、前記判断手段による判断結果が静止画像である場合に、前記外部装置に対して、当該静止画像を分割して送出することを要求する制御信号を出力する、
ことを特徴とする請求項１〜３のいずれか１項に記載の映像処理装置。
【請求項５】
前記制御手段は、前記判断手段による判断結果が静止画像である場合に、画像処理用のメモリ領域を、前記入力手段、前記画像信号処理手段または前記信号出力手段のうち稼働中の１つの手段のみに割り当てる
ことを特徴とする請求項１〜４のいずれか１項に記載の映像処理装置。
【請求項６】
前記判断手段は、連続するフレームについて一部の領域の画像データの比較を行い、所定のフレームの間、同一の画像データが連続する場合は、入力された画像信号を静止画像であると判断する
ことを特徴とする請求項１〜５のいずれか１項に記載の映像処理装置。
【請求項７】
前記判断手段は、入力される画像が同一か否かを所定の間隔で判断することで、画像が変化する時間間隔を測定し、当該時間間隔が所定数の画像にわたって同じであった場合は、入力された画像信号を静止画像であると判断する
ことを特徴とする請求項１〜５のいずれか１項に記載の映像処理装置。
【請求項８】
入力画像に対して画像処理を行う映像処理装置の制御方法であって、
外部装置より画像信号を入力する入力ステップと、
入力された画像信号が、静止画像か動画像かを判断する判断ステップと、
入力された画像信号を処理する少なくとも１つの画像信号処理ステップと、
画像信号処理された画像信号を出力する出力ステップと、
を含んでおり、
前記判断ステップにおける判断結果が動画像である場合には、前記入力ステップ、前記画像信号処理ステップおよび前記出力ステップを並行して実行するとともに、
前記判断ステップにおける判断結果が静止画像である場合には、前記入力ステップ、前記画像信号処理ステップおよび前記出力ステップを、一つずつ順番に実行する
ことを特徴とする映像処理装置の制御方法。
【発明の詳細な説明】
【技術分野】
【０００１】
本発明は、入力された映像信号を処理する映像処理装置およびその制御方法に関する。
【背景技術】
【０００２】
従来、デジタルカメラなどの画像出力装置と、テレビ等の表示装置をデジタルインターフェイスで接続して画像を表示する方法が知られている。また、近年では、テレビ等の表示装置のデジタルインタフェースとしてＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）が採用されるようになっている。ＨＤＭＩは、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式により映像や音声のデータを伝送している。また、ＨＤＭＩは、映像、音声データ等のデータ以外にも、接続されている機器を制御するための信号をＣＥＣ（Ｃｏｎｓｕｍｅｒ  Ｅｌｅｃｔｒｏｎｉｃｓ  Ｃｏｎｔｒｏｌ）方式により、伝送可能としている。
【０００３】
近年、ＨＤＭＩ等のデジタルインタフェースは、そのバージョンアップ等により、高ビットのデータ送信が可能となっている。また、デジタルカメラ等の映像出力装置においても性能向上により、１画像あたりのデータ量は日々増加している。
【０００４】
また、デジタルインタフェースから入力される映像データが静止画の場合には、映像データを動画時と比較して、高ビットで量子化し、長い時間間隔で画面を生成する表示装置が提案されている（特許文献１参照）。この手法によれば、表示装置における転送レートを高くすることなく、高ビットの表示データを転送可能となる。（特許文献１参照）
【特許文献１】特開２００２−１６２９５１号公報
【発明の開示】
【発明が解決しようとする課題】
【０００５】
しかしながら上述した従来の技術では、ＨＤＭＩのようなデジタルインタフェースから入力される映像データは、静止画データであっても動画像と同じフォーマットで転送されていた。つまり、画像出力装置側に蓄積されている静止画データが大容量データで構成される高画質な静止画データであったとしても、動画転送時のフォーマットに合わせてフォーマット変換する必要があった。そのため、画像出力装置では原画像よりも劣化した画像が出力されてしまうという課題があった。
【０００６】
具体的には、デジタルカメラ等の性能の向上により静止画データは数千万ピクセルのデータとして蓄積されているものの、表示装置の制限等により、ハイビジョン信号に適合するようなデータ転送フォーマットで送出している。つまり、画像出力装置は、蓄積している静止画像を縮小して表示装置に転送を行う必要があり、原画像そのもののデータを送出することができない。したがって、ユーザは、高画質な原画像そのものを見ることができなかった。
【０００７】
さらに表示装置側においても、動画像を表示する場合と同じ画像処理で静止画像に対して処理を行うため、原画像を受信して処理できないという課題があった。
【０００８】
そこで、本発明は、静止画時に画像劣化を極力抑える処理を可能とする映像処理装置及びその制御方法を提供することを目的とする。
【課題を解決するための手段】
【０００９】
上述した課題を解決するために、本発明に係る映像処理装置は、
入力画像に対して画像処理を行う映像処理装置であって、
外部装置より画像信号を入力する入力手段と、
前記入力手段により入力された画像信号が、静止画像か動画像かを判断する判断手段と、
前記画像信号を処理する少なくとも一つの画像信号処理手段と、
前記画像信号処理手段により処理された画像信号を出力する信号出力手段と、
前記外部装置との間で制御信号を通信する通信制御手段と、
前記判断手段による判断結果が動画像である場合には、前記入力手段、前記画像信号処理手段および前記信号出力手段を並行して稼働させるとともに、入力された画像信号が静止画像である場合には、前記入力手段、前記画像信号処理手段および前記信号出力手段を一つずつ順番に稼働させるように、各手段の稼働と停止を制御する制御手段と、
を備える。
【００１０】
また、本発明に係る映像処理装置の制御方法は、
入力画像に対して画像処理を行う映像処理装置の制御方法であって、
外部装置より画像信号を入力する入力ステップと、
入力された画像信号が、静止画像か動画像かを判断する判断ステップと、
入力された画像信号を処理する少なくとも１つの画像信号処理ステップと、
画像信号処理された画像信号を出力する出力ステップと、
を含んでおり、
前記判断ステップにおける判断結果が動画像である場合には、前記入力ステップ、前記画像信号処理ステップおよび前記出力ステップを並行して実行するとともに、
前記判断ステップにおける判断結果が静止画像である場合には、前記入力ステップ、前記画像信号処理ステップおよび前記出力ステップを、１つずつ順番に実行する。
【発明の効果】
【００１１】
本発明によれば、静止画時に画像劣化を極力抑える処理が可能となる。
【発明を実施するための最良の形態】
【００１２】
以下、図面を用いて本発明の実施の形態について説明する。
【００１３】
（第１の実施形態）
本実施形態に係る画像表示装置は、画像入力部、複数の画像信号処理部および信号出力部を有しており、入力画像が動画像である場合には、各フレームについての画像処理を各処理部が並行して行うことで高速に画像処理を行う。一方、入力画像が静止画像である場合には、各フレームについて、各処理部が１つずつ順次処理を行うことで、より高ビットな画像信号を処理可能としている。つまり、本実施形態に係る画像表示装置は、高画質な静止画像の入力を受け付け、表示することが可能となる。
【００１４】
以下、本実施形態に係る画像表示装置について、以下の順序で説明する。
１．全体の機能構成
２．動画／静止画のモード切替処理（概略）
３．動画処理モードでの処理
４．静止画処理モードでの処理
５．動画処理モードと静止画処理モードの比較
６．静止画処理モードにおいて要求するデータフォーマットの決定方法
７．処理モード切替の判断方法
【００１５】
〈１．全体構成〉
図１は、画像出力装置１１１に接続された表示装置１０１の構成を示している。以下では、表示装置１０１の各処理部について説明する。
【００１６】
ＨＤＭＩレシーバ１０２は、信号線１１３を通してレコーダやデジタルカメラ等の画像出力装置１１１から動画や静止画等の映像信号と音声信号を受信する。
【００１７】
信号線１１３は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と呼ばれている伝送方式により映像、音声信号を伝送している。信号線１１３より入力された映像信号は、ＨＤＭＩレシーバ１０２にて受信され、画像データ転送用バス１２７を介して画像データとしてメモリ１０９に格納される。また、信号線１１４は、制御信号を伝送するための信号線であり、ＨＤＭＩにおいては、ＣＥＣ（Consumer  Electronics  Control）と呼ばれているものである。
【００１８】
また、制御データ転送用バス１１６、１１８〜１２６は、制御部１１０が、各処理部を制御する信号を転送するためのバスである。画像データ転送用バス１２７〜１３１は、画像データを各処理部とメモリ１０９間で転送するためのバスである。
【００１９】
また、信号線１３３は、静止画／動画の判断をするために、ＨＤＭＩレシーバ１０２から静止画／動画判断部１０８へ入力画像データを転送するための信号線である。
【００２０】
画像処理部（画像信号処理部）１０３〜１０５は、ＨＤＭＩレシーバ１０２が受信した映像信号を表示部１１５に出力するために必要なフォーマット変換及び高画質化信号処理を行うための信号処理部である。これらの各処理部は、複数フレームからの情報を用いた処理や、異なるタイミングで入出力を行うために、処理部毎にフレームメモリを必要とする。本形態に係る表示装置１０１の画像処理部は、３つの画像処理部からなっているが、画像処理部の数はこれに限定されるものではない。
【００２１】
出力処理部（信号出力部）１０７は、画像処理部１０３〜１０５で処理された画像をメモリ１０９から読み出し、映像信号伝送線１３２を経由して表示部１１５へ出力する。
【００２２】
静止画／動画判断部１０８は、画像出力装置１１１から信号線１１３を介してＨＤＭＩレシーバ１０２に入力されている映像信号を、信号線１３３を経由して取得・解析することで、動画か静止画かを判断する。この動画／静止画の判断方法の詳細については、後述する。
【００２３】
制御部１１０は、ＨＤＭＩレシーバ１０２、画像処理部１０３〜１０５、出力処理部１０７の稼動と停止を制御する。制御部１１０は、静止画／動画判断部１０８の判断結果が動画であった場合には、ＨＤＭＩレシーバ１０２、画像処理部１０３〜１０５、出力処理部１０７を同時に（並行して）動作させる。一方、制御部１１０は、静止画／動画判断部１０８の判断結果が静止画であった場合には、これらの処理部を排他的に（１つずつ順番に）動作させる。
【００２４】
通信制御部１１７は、信号線１１４を介して画像出力装置１１１との通信を行う。静止画／動画判断部１０８の判断結果が静止画であった場合には、判断結果が動画の場合よりも高ビットの画像データを画像出力装置１１１に対して要求する。高ビットの画像データとは、色情報のビット数（以降、ビット深度と記載する）の多い画像や、解像度の大きい画像を示す。
【００２５】
なお、本実施形態では表示部１１５を備える表示装置１０１を例に説明しているが、本発明は、別装置として設けられた表示部に対して、画像処理を施した映像信号を出力する
映像処理装置として実現しても良い。
【００２６】
〈２．動画／静止画処理モードの切替の概要〉
図２は、図１に示した表示装置１０１の各信号処理モードへの移行動作を示したフローチャートである。外部機器の接続を検出すると、接続された機器が静止画を出力する際に出力可能なデータフォーマットの問い合わせを行い、静止画時に要求するデータを決定する（Ｓ２０１）。要求するデータを決定する方法については、後ほど詳細に説明する。
【００２７】
表示装置１０１は、信号線１１３より入力されている映像を解析することで静止画／動画判断部１０８が、現在入力されている映像信号が、静止画か動画の判断を行う（Ｓ２０２）。この判断方法についても、後ほど説明する。
【００２８】
静止画／動画判断部１０８の判定結果が静止画である場合（Ｓ２０３がＹＥＳ）、映像信号処理モードを高画質の画像を表示できる処理モードである静止画モードに移行する（Ｓ２０４）。静止画／動画判断部１０８の判定結果が、動画である場合（Ｓ２０３がＮＯ）、映像信号処理モードを通常の画像処理を行う動画モードに移行する（Ｓ２０５）。
【００２９】
〈３．動画処理モードにおける処理〉
図３は、映像信号処理モードが動画モードである場合における、表示装置１０１の動作を示したフローチャートである。
【００３０】
映像信号処理モードが動画モード移行後、制御部１１０が、ＨＤＭＩレシーバ１０２、画像処理部１０３、画像処理部１０４、画像処理部１０５、出力処理部１０７を稼動する（Ｓ３０１）。
【００３１】
信号線１１３より入力された映像データの１フレーム目の画像をＨＤＭＩレシーバ１０２で処理中には、画像処理部１０３、画像処理部１０４、画像処理部１０５、出力処理部１０７では、処理を実施しない（Ｓ３０２）。
【００３２】
信号線１１３より入力された映像データの２フレーム目の画像をＨＤＭＩレシーバ１０２で処理中には、画像処理部１０３は、１フレーム目の画像を処理し、画像処理部１０４、画像処理部１０５、出力処理部１０７では、処理を実施しない（Ｓ３０３）。
【００３３】
信号線１１３より入力された映像データの３フレーム目の画像をＨＤＭＩレシーバ１０２で処理中には、画像処理部１０３が２フレーム目の画像を処理し、画像処理部１０４が１フレーム目の画像を処理する。画像処理部１０５、出力処理部１０７は、処理を実施しない（Ｓ３０４）。
【００３４】
信号線１１３より入力された映像データの４フレーム目の画像をＨＤＭＩレシーバ１０２で処理中には、画像処理部１０３は３フレーム目の画像を処理し、画像処理部１０４は２フレーム目の画像を処理し、画像処理部１０５は１フレーム目の画像を処理する。出力処理部１０７では、処理を実施しない（Ｓ３０５）。
【００３５】
信号線１１３より入力された映像データの５フレーム目の画像をＨＤＭＩレシーバ１０２で処理中には、画像処理部１０３は、４フレーム目の画像を処理し、画像処理部１０４は、３フレーム目の画像を処理し、画像処理部１０５は、２フレーム目の画像を処理し、出力処理部１０７は、1フレーム目の画像を処理する（Ｓ３０６）。
【００３６】
信号線１１３より入力された映像データの６フレーム目の画像をＨＤＭＩレシーバ１０２で処理中には、画像処理部１０３は、５フレーム目の画像を処理し、画像処理部１０４
は、４フレーム目の画像を処理し、画像処理部１０５は、３フレーム目の画像を処理し、出力処理部１０７は、２フレーム目の画像を処理する（Ｓ３０７）。
【００３７】
このように、各処理部は、信号線１１３から入力される画像データに対して並行して処理を実行する。
【００３８】
図４は、図１に示した表示装置１０１の映像信号処理モードが動画モード時の、１フレームの画像を表示部１１５に表示する間に、各処理部とメモリ１０９間で転送される画像データを示している。動画モード時は、1フレームを出力処理部１０７より表示部１１５
に表示する処理と並行して、ＨＤＭＩレシーバ１０２、画像処理部１０３、画像処理部１０４、画像処理部１０５の各処理処理部とメモリ１０９の間で、画像データの転送が発生する。つまり、各処理部においてメモリ１０９との間のデータ転送帯域を共有する必要があり、１フレームあたりの画像データのデータ容量は、バスのデータ転送帯域よりも小さいものとなる。
【００３９】
〈４．静止画処理モードにおける処理〉
図５は、映像信号処理モードが静止画モードである場合における、表示装置１０１の動作を示したフローチャートである。
【００４０】
静止画モード開始時、通信制御部１１７が信号線１１４を経由して、画像出力装置１１１に高ビットの画像データを要求する（Ｓ５０１）。画像出力装置１１１は、要求された高ビットデータの画像フォーマットの画像を、信号線１１３を経由して表示装置１０１に送信する（Ｓ５０２）。
【００４１】
表示装置１０１では、制御部１１０が、ＨＤＭＩレシーバ１０２を稼動させ、画像処理部１０３〜１０５、出力処理部１０７を停止することで、ＨＤＭＩレシーバ１０２以外の処理部のメモリ１０９へのアクセスが停止される（Ｓ５０３）。そして、ＨＤＭＩレシーバ１０２以外の処理部が使用していた各処理部とメモリ１０９との画像転送用のデータ転送帯域を、ＨＤＭＩレシーバ１０２とメモリ１０９との画像データ転送用のバス１２７に割り当てる。これにより、信号線１１３より入力された高ビットの画像データを、ＨＤＭＩレシーバ１０２が、バス１２７を経由してメモリ１０９に格納する（Ｓ５０４）ことが可能になる。
【００４２】
ＨＤＭＩレシーバ１０２が、１フレーム分の画像をメモリ１０９に格納完了（Ｓ５０４）後、制御部１１０が、画像処理部１０３を稼動させ、ＨＤＭＩレシーバ１０２、画像処理部１０４、画像処理部１０５、出力処理部１０７を停止する。つまり、画像処理部１０３以外の処理部のメモリ１０９へのアクセスを停止する（Ｓ５０５）。そして、画像処理部１０３以外の処理部が使用していた各処理部とメモリ１０９との画像転送用のデータ転送帯域を、画像処理部１０３とメモリ１０９との画像データ転送用のバス１２８に割り当てる。これにより、ＨＤＭＩレシーバ１０２によってメモリ１０９に格納された高ビットの画像データを、画像処理部１０３がバス１２８を経由して画像処理する（Ｓ５０６）ことが可能になる。
【００４３】
画像処理部１０３が、１フレーム分の画像を画像処理しメモリ１０９に格納完了（Ｓ５０６）後、制御部１１０が、画像処理部１０４を稼動させ、ＨＤＭＩレシーバ１０２、画像処理部１０３、画像処理部１０５、出力処理部１０７を停止する。つまり、画像処理部１０４以外の処理部のメモリ１０９へのアクセスを停止する（Ｓ５０７）。画像処理部１０４以外の処理部が使用していた各処理部とメモリ１０９との画像転送用のデータ転送帯域を、画像処理部１０４とメモリ１０９との画像データ転送用のバス１２９に割り当てる。これにより、画像処理部１０３によってメモリ１０９に格納された高ビットの画像デー
タを、画像処理部１０４がバス１２９を経由して画像処理する（Ｓ５０８）ことが可能になる。
【００４４】
画像処理部１０４が、１フレーム分の画像を画像処理しメモリ１０９に格納完了（Ｓ５０８）後、制御部１１０が、画像処理部１０５を稼動させ、ＨＤＭＩレシーバ１０２、画像処理部１０３、画像処理部１０４、出力処理部１０７を停止する。つまり、画像処理部１０５以外の処理部のメモリ１０９へのアクセスを停止する（Ｓ５０９）。画像処理部１０５以外の処理部が使用していた各処理部とメモリ１０９との画像転送用のデータ転送帯域を、画像処理部１０５とメモリ１０９との画像データ転送用のバス１３０に割り当てる。これにより、画像処理部１０４によってメモリ１０９に格納された高ビットの画像データを、画像処理部１０５がバス１３０を経由して画像処理する（Ｓ５１０）ことが可能になる。
【００４５】
画像処理部１０５が、１フレーム分の画像を画像処理しメモリ１０９に格納完了（Ｓ５１０）後、制御部１１０が、出力処理部１０７を稼動し、ＨＤＭＩレシーバ１０２、画像処理部１０３〜１０５を停止する。つまり、出力処理部１０７以外の処理部のメモリ１０９へのアクセスを停止する（Ｓ５１１）。出力処理部１０７以外の処理部が使用していた各処理部とメモリ１０９との画像転送用のデータ転送帯域を、出力処理部１０７とメモリ１０９との画像データ転送用のバス１３１に割り当てる。これにより、画像処理部１０５によってメモリ１０９に格納された高ビットの画像データを、出力処理部１０７がバス１３１を経由してメモリ１０９より読み出し表示部１１５へ送信する（Ｓ５１２）ことが可能になる。
【００４６】
このように、静止画モード時には、表示装置１０１の各処理部は、同時にメモリ１０９へのアクセス動作を行わない為、動画モード時と比較して、各処理部とメモリ１０９の間で、高ビットの画像データ転送が可能となる。静止画モード時のメモリ１０９と各処理部間との画像データの通信は、図６のようになる。
【００４７】
図６（Ａ）は、ＨＤＭＩレシーバ１０２が、画像出力装置１１１より入力されるＮ番目のフレーム画像を受信しメモリ１０９に格納を行っており、その他の各処理部が停止している状態である。このとき、ＨＤＭＩレシーバ１０２以外の各処理部と、メモリ１０９との間で画像データの転送は行われない。
【００４８】
図６（Ｂ）は、画像処理部１０３が、ＨＤＭＩレシーバ１０２によりメモリ１０９に格納されたＮ番目のフレーム画像の画像処理を行っており、その他の各処理部が停止している状態を示した図である。このとき、画像処理部１０３以外の各処理部と、メモリ１０９との間で画像データの転送は行われない。
【００４９】
図６（Ｃ）は、画像処理部１０４が、画像処理部１０３によりメモリ１０９に格納されたＮ番目のフレーム画像の画像処理を行い、その他の各処理部が停止している状態を示した図である。このとき、画像処理部１０４以外の各処理部と、メモリ１０９との間で画像データの転送は行われない。
【００５０】
図６（Ｄ）は、画像処理部１０５が、画像処理部１０４によりメモリ１０９に格納されたＮ番目のフレーム画像の画像処理を行っており、その他の各処理部が停止している状態を示した図である。このとき、画像処理部１０５以外の各処理部と、メモリ１０９との間で画像データの転送は行われない。
【００５１】
図６（Ｅ）は、出力処理部１０７が、画像処理部１０５によりメモリ１０９に格納されたＮ番目のフレーム画像をメモリ１０９より読み出して表示部１１５へ出力を行っており
、その他の各処理部が停止している状態を示した図である。このとき、出力処理部１０７以外の各処理部と、メモリ１０９との間で画像データの転送は行われない。
【００５２】
〈５．動画処理モードと静止画処理モードの比較〉
・データ転送量
動画処理モード時は、ＨＤＭＩレシーバ１０２、画像処理部１０３、画像処理部１０４、画像処理部１０５、出力処理部１０７の各処理部とメモリ１０９との間で、１／６０秒間に１画像分の画像データの転送を行い、必要な処理を実施する。また、動画処理モード時は、水平サイズ２２００、垂直サイズ１１２５の、ＲＧＢ各色８ビットの画像を処理可能であるとする。この場合、１画像のデータサイズは、７．４Ｍバイトである。よって動画処理モード時に、１／６０秒間にメモリ１０９とＨＤＭＩレシーバ１０２、画像処理部１０３〜１０５、出力処理部１０７の各処理部とメモリ１０９の間でそれぞれ７．４Ｍバイトの画像データが転送されることになる。また、ＨＤＭＩレシーバ１０２は、メモリ１０９へ画像データの格納のみ、画像処理部１０３〜１０５それぞれは、メモリ１０９へ画像データの格納と読出し、出力処理部１０７は、メモリ１０９から画像データの読出しのみを実施する。したがって、転送される画像サイズの合計は、１画像のデータサイズの８倍の、５９．２Ｍバイトとなる。
【００５３】
静止画モード時は、図６を用いて説明したように、１／６０秒間に一つの処理部とメモリ１０９での画像データの転送が発生する。よって、静止画モード時には、動画モード時の８倍のデータ量の画像データを転送可能となる。つまり静止画モード時には、１画像のサイズが５９．２Ｍバイト以下の画像を各処理部とメモリ１０９の間で転送可能となる。具体的には、ＲＧＢ各色８ビットで５９Ｍピクセルの画像や、ＲＧＢ各色１２ビットで、３９Ｍピクセルの画像を転送可能となる。
【００５４】
・メモリ使用方法
続いて、メモリ１０９の使用方法について説明する。
【００５５】
動画モード時には、ＨＤＭＩレシーバ１０２、画像処理部１０３〜１０５、出力処理部１０７の各処理部とメモリ１０９の間で画像データの転送が同時に発生する。そのため、メモリ１０９は、図７で示す通り、各処理部用にメモリ領域を確保する必要がある。各メモリ領域の説明は、後述する。
【００５６】
一方、静止画モード時のメモリ使用方法は、図８に示すように、メモリ１０９とデータ転送を行っている稼働中の処理部用のメモリ領域のみを確保する。そのため、全体のメモリ領域を増やすことなく、各処理部が使用できるメモリ領域を増やすことができる。
【００５７】
以下では、動画モード時と、静止画モード時のメモリの使用方法について詳細に説明する。
【００５８】
図７は、動画処理モード時のメモリ１０９の使用例である。以下、各メモリ領域について説明する。メモリ領域７０１は、信号線１１３から入力されＨＤＭＩレシーバ１０２によって受信された画像を格納するためのメモリ領域である。画像処理部１０３用メモリ領域７０２は、画像処理部１０３が、ＨＤＭＩレシーバ用メモリ領域７０１から読み出した画像を、画像処理した結果を格納するためのメモリ領域である。画像処理部１０４用メモリ領域７０３は、画像処理部１０４が、画像処理部１０３用メモリ領域７０２から読み出した画像を、画像処理した結果を格納するためのメモリ領域である。画像処理部１０５用メモリ領域７０４は、画像処理部１０４用メモリ領域７０３から読み出した画像を、画像処理して格納するためのメモリ領域である。出力処理部１０７は、画像処理部１０５用メモリ領域７０４より読み出した画像を表示部１１５へ出力する。
【００５９】
以上のように、動画モード時には、各処理部が平行してメモリ１０９との間でデータ転送を行うため、図７に示すように、各処理部用のメモリ領域を確保する必要がある。
【００６０】
図８は、静止画処理モード時のメモリ１０９の使用例である。図８（Ａ）は、ＨＤＭＩレシーバ１０２が、信号線１１３より入力される画像をメモリ１０９に格納する際のメモリ１０９の使用例である。ＨＤＭＩレシーバ１０２は、ＨＤＭＩレシーバ用メモリ領域８０１に画像を格納する。画像処理部１０３は、ＨＤＭＩレシーバ用メモリ領域８０１から読み出した画像データに画像処理を施し、画像処理部１０３用のメモリ領域８０２に格納する。画像処理部１０３が、画像処理を終了すると、図８（Ｂ）のように、ＨＤＭＩレシーバ１０２用メモリ領域８０１を画像処理部１０４用メモリ領域８０３とする。画像処理部１０４は、画像処理部１０３用メモリ領域８０２から読み出した画像データに画像処理を施し、画像処理部１０４用メモリ領域８０３に格納する。画像処理部１０４が、画像処理を終了すると、図８（Ｃ）のように、画像処理部１０３用メモリ領域８０２を画像処理部１０５用メモリ領域８０４とする。画像処理部１０５は、画像処理部１０４用メモリ領域８０３から読み出した画像データの画像処理を施し、画像処理部１０５用メモリ領域８０４に格納する。出力処理部１０７は、画像処理部１０５用メモリ領域６０４から読み出した画像を表示部１１５へ出力する。
【００６１】
以上のように、静止画モード時は、各処理部で使用するメモリ領域を共有することで、画像処理用のメモリ領域の全体サイズを増やす事無く、高ビットの画像データを処理可能としている。
【００６２】
ここで、各処理部で処理する画像フォーマットが同じであるとして、動画処理モード時に水平サイズ２２００、垂直サイズ１１２５の、ＲＧＢ各色８ビットの信号を処理可能であり、各処理部で必要とするメモリ領域が１画像分である場合を考える。この場合、メモリ領域７０１〜７０４でそれぞれで、７．４Ｍバイトの領域が必要となる。
【００６３】
一方、静止画モードの場合には、図８に示すように、各処理部のメモリ領域は、静止画時の２倍のメモリ領域を確保することができる。画像サイズのバイト数では、１４．８Ｍバイト以下の画像を処理可能となる。具体的には、ＲＧＢ各色８ビットで１４．８Ｍピクセルの画像や、ＲＧＢ各色１２ビットで、９．８Ｍピクセルの画像を転送可能となる。つまり、静止画モード時には、動画モード時と同じメモリ領域を使用して、２倍のデータ量の画像データを処理できるメモリ領域を確保することができる。
【００６４】
・処理可能な画像データ量の比較
以上のように、図６を使用して説明した通り、静止画モード時は、動画モード時と比較して、８倍のデータ量の画像データを転送可能である。また、図８を使用して説明した通り、静止画モード時は、動画モード時と比較して、２倍のデータ量の画像データを処理御可能なメモリ領域を確保可能となる。よって、静止画モード時は、動画モード時と比較して２倍のデータ量の画像データを処理可能となる。
【００６５】
〈６．静止画像モードにおけるデータフォーマットの決定方法〉
以下では、静止画像モードにおいて、表示装置１０１が外部機器に対して要求するデータの決定処理（図２のステップＳ２０１）の詳細について説明する。
【００６６】
図９は、映像信号処理モードが、静止画モード時に、表示装置１０１から画像出力装置１１１に高ビットデータ要求する際の、要求する画像データのフォーマットを決定する処理を示したフローチャートである。
【００６７】
表示装置１０１は、画像出力装置１１１が送出可能な静止画像の画像フォーマットを、信号線１１４を介して画像出力装置１１１に問い合わせる（Ｓ９０１）。画像出力装置１１１は、送出可能な画像フォーマットを表示装置１０１に送信する（Ｓ９０２）。図１０は、画像出力装置１１１が、静止画象出力時に出力できるフォーマットの例を示したものである。図１０に示すように、画像出力装置１１１は、静止画出力時に複数のフォーマットにより映像信号を出力可能となっている。なお、動画時は、水平サイズ１９２０、垂直サイズ１０８０、カラーフォーマットＹＣｂＣｒ４：２：２、ビット深度８ビットの画像フォーマットで出力しているものとする。
【００６８】
静止画モード時は、水平サイズや垂直サイズの画素数を多くすることで、多くの画素データにより静止画像用の画像処理を実施でき、高画質を実現しすることが可能となる。例えば、図１０の例では、水平サイズ３００８・垂直サイズ２０００や水平サイズ２５６０・垂直サイズ１６００のように、画像サイズの拡張を行っている。
【００６９】
また、ビット深度を増やすことで、多くの色情報から画像処理を実施でき、高画質を実現することが可能となる。例えば、図１０の例では、動画時は８ビットであるビット深度を１０ビット〜１４ビットに拡張している。
【００７０】
また、表示装置１０１に最適なカラーフォーマットで送出することで、不必要なフォーマット変換を行う必要が無くなり、フォーマット変換による画質劣化を防止することも可能となる。図１０の例では、動画時はＹＣｂＣｒ４：２：２であるカラーフォーマットを、ＹＣｂＣｒ４：４：４やＲＧＢ等の複数のカラーフォーマットへの拡張を行っている。
【００７１】
表示装置１０１は、静止画モードに処理できる画像フォーマットと、画像出力装置１１１から送られた図１０の画像フォーマットの比較を行い受信可能なフォーマットがあるかの判定を行う（Ｓ９０３）。図１１は、表示装置１０１が静止画モード時に処理できる画像フォーマットの例を示している。表示装置１０１は、静止画モード時に図１１に示すような複数のフォーマットに応じた画像処理を行う。なお、表示装置１０１は、動画モード時は、水平サイズ１９２０・垂直サイズ１０８０、カラーフォーマットＹＣｂＣｒ４：２：２、ビット深度８ビットの画像フォーマットの映像信号を受信し、画像処理を行っている。
【００７２】
表示部１１５の表示サイズは、水平サイズ１９２０・垂直サイズ１０８０、カラーフォーマットＲＧＢ、ビット深度８ビットである。しかし、表示サイズ以上の画素数の画像から表示部１１５へ出力する画像を生成することで、高画質な画像を生成することが可能となる。例えば、図１１の例では、水平サイズ１９２０・垂直サイズ１４４０や水平サイズ２５６０・垂直サイズ１６００のように、拡張を行っている。
【００７３】
また、ビット深度に関しても、表示部１１５にて表示可能なビット深度以上の色情報を持つ画像から表示部１１５へ出力する画像を生成することで、高画質な画像を生成することが可能となる。例えば、図１１の例では、動画時は８ビットであるビット深度を１０ビット〜１４ビットに拡張を行っている。
【００７４】
また、本実施例では、図１０、図１１で示している画像フォーマットに関する情報は、解像度、ビット深度、カラーフォーマットであるが、表示装置１０１、画像出力装置１１１にて保有する画像に関する情報これに限定されない。例えば、ガンマ特性や、ｓＲＧＢ、ＡｄｏｂｅＲＧＢ，ｘｖＹＣＣ等の色空間等の情報を指定することも可能である。逆に、図１０、図１１で示している情報全ての情報を持たなくてもよい。
【００７５】
受信可能なフォーマットがあるなしの判定の結果、受信可能フォーマットがない場合（
Ｓ９０４がＮＯ）は、表示装置１０１の表示モードが、静止画モードに移行した場合でも、高ビットデータを要求しない。静止画モード時に、表示装置１０１が受信可能なフォーマットがある場合（Ｓ９０４がＹＥＳ）で、かつ、受信可能フォーマットが一つしかない場合は（Ｓ９０５がＮＯ）、静止画モード時に要求する画像データのフォーマットをそのフォーマットに決定する。画像出力装置１１１の送出可能な静止画のフォーマットが図１０に示すものであり、静止画モード時の表示装置１０１の受信可能な画像フォーマットが図１１に示すものの場合には、表示装置１０１が受信可能フォーマットは図１２の１２０１〜１２０３となる。受信可能フォーマットが複数ある場合（Ｓ９０５がＹＥＳ）、解像度とビット深度が最高の数値のものを選択する。ただし、受信可能フォーマットが図１２で示すように、ビット深度の最高値をもっている画像フォーマットと、解像度の最高値を持っている画像フォーマットが異なる場合、図１３に示すような、解像度を優先するか、ビット深度を優先するかのテーブルを参照する（Ｓ９０６）。このテーブルの設定と、受信可能フォーマットにより、映像信号処理モードが静止画モード時に、表示装置１０１が、画像出力装置１１１に要求する画像フォーマットを決定する（Ｓ９０７）。
【００７６】
図１３に示すテーブルは、図示しない初期設定等の設定用のユーザインターフェースによってユーザが選択することができる。また、ユーザが設定を行わない場合は、デフォルトとして、ビット深度を優先する設定を保持している。
【００７７】
図１３のように解像度を優先する設定になっている場合は、映像信号処理モードが、静止画モード時に、表示装置１０１が画像出力装置に要求する画像フォーマットは、図１２の１００３となる。また、ビット深度と解像度の最高値を持つものが複数有り、カラーフォーマットのみが異なる場合は、ＲＧＢ、ＹＣｂＣｒ４：４：４、ＹＣｂＣｒ４：２：２の順で要求する画像フォーマットを決定する。ただし、本実施形態では、カラーフォーマットを選択する優先度をＲＧＢ、ＹＣｂＣｒ４：４：４、ＹＣｂＣｒ４：２：２の順としたが、カラーフォーマットを選択する優先順は、これに限定されない。
【００７８】
〈７．処理モード切替の判断方法〉
以下では、静止画／動画判断部１０８における、静止画／動画判断処理（図２のステップＳ２０２）について詳細に説明する。
【００７９】
静止画／動画判断部１０８は、図１４に示すように、信号線１１３より入力される画像データを所定数のフレームにわたって比較することで、静止画／動画の判断を行う。１フレーム目と２フレーム目の画像データを比較（１４０１）し、画像データが同じであれば、２フレーム目と３フレーム目の画像データを比較（１４０２）する。このように、１４０１〜１４２９の比較を行った結果、３０枚のフレームの間、同一の画像データが連続すれる場合は、入力されている画像信号が静止画像であると判断する。一方、画像データの比較の結果、画像データが異なれば動画だと判断し、異なる画像と判定したフレームから、再び比較処理を実施する。
【００８０】
また、画像データの比較は、全画素を比較することで行っても良いが、処理の簡素化のために以下のような方法を採用する。すなわち、図１５のように画像データ１５０１に対して、領域１５０２、１５０３、１５０４、．．．のように特定の一部の領域のみの画像データの比較を行う。また、領域１５１０は、比較する画像領域を拡大した図である。比較する領域のサイズは、高さ５dot、幅５dotとする。比較する画像のフレーム数、比較する画像のデータ領域の個数、比較する画像のデータ領域のサイズは、本実施形態で示す数に限定されない。
【００８１】
また、画像出力装置１１１において、機器操作用のメニュー画面等を表示中や、動画像であるが動作の少ないシーン等において、静止画／動画判断部１０８において、静止画像
と判断する場合がある。この場合、画像出力装置１１１は、表示装置１０１からの高ビット画像要求を受信しても通常の動画フォーマットで画像の送出を行う。表示装置１０１、静止画時のフォーマットで信号が入力されないため、映像信号処理モードは、静止画モードへ移行しない。
【００８２】
〈本実施形態の作用／効果〉
このように、この実施形態では、ＨＤＭＩより入力されている映像信号の、静止画／動画の判断を行い、静止画と判断された場合に、各画像処理部が排他的に逐次稼働するように制御する。そして、高ビットの画像を処理できる処理モード（静止画モード）に切り替えを行い、同時に、高ビットの画像出力を画像出力装置に要求する。この時、画像出力装置は複数の高画質画像送出モードを定義したテーブルを持ち、表示装置も複数の高画質画像受信モードを定義したテーブルを持つ。表示装置では、画像出力装置のテーブルと表示装置のテーブルのマッチングをとった結果に基いて、画像出力装置に高画質画像を要求することで、画像出力装置から原画像により近いビット数の画像データを受信することができる。すわなち、静止画時に画像劣化を極力抑えた処理を実現し、高画質な画像の表示が可能となる。
【００８３】
（第２の実施形態）
図１６は、画像出力装置１１１に接続された本発明の第２の実施形態に係る表示装置１６０１の概略構成を示している。第１の実施形態との相違は、画像合成部１６０２、画像データ転送用バス１６０３、制御データ転送用バス１６０４が備わっている点である。そして、静止画モードにおいては、画像出力装置１１１に対して画像データを複数に分割して送信するよう指示し、画像合成部１６０２が分割画像を合成して原画像を作成する。ここで、静止画像の分割画像は、第１の実施形態と同様に高ビットの画像データとして画像出力装置１１１から表示装置１６０１に入力される。このように本実施形態では、分割画像を高ビットで送信することで、原画像の画質劣化を抑制する。
【００８４】
ＨＤＭＩレシーバ１０２は、画像出力装置１１１から送られてきた分割画像を、画像データ転送用バス１２７を介して、メモリ１０９に格納する。画像合成部１６０２は、ＨＤＭＩレシーバ１０２によってメモリ１０９に格納された分割画像を、画像転送用バス１２８を介して取得し、合成する。画像合成部１６０２が合成した画像は、画像転送用バス１２８を経由してメモリ１０９に格納される。
【００８５】
また、静止画／動画判断部１０８は、画像出力装置１１１から信号線１１４により通知される、「信号線１１３に入力されている映像信号が、動画または静止画」を示す情報により、現在入力されている映像信号が動画か静止画かを判断する。
【００８６】
図１７は、本実施形態に係る表示装置１６０１の静止画モード時の処理を示すフローチャートである。映像信号処理モードが静止画モードへ移行すると、表示装置１６０１の制御部１１０は、ＨＤＭＩレシーバ１０２を起動し、画像合成部１６０２、画像処理部１０３、画像処理部１０４、画像処理部１０５、出力処理部１０７を停止する（Ｓ１７０１）。画像出力装置１１１が、Ｎ分割して送出した画像データをメモリ１０９に書き込む（Ｓ１７０２〜Ｓ１７０６）。全ての画像データをメモリ１０９に書き込み完了していない場合（Ｓ１７０３がＮＯ）、画像出力装置にi番目の画像データを要求する（Ｓ１７０４）
。
【００８７】
図１８は、画像出力装置１１１が、画像データを分割して送る例を示している。図１８は、水平サイズが３８４０、垂直サイズが２１６０の解像度の画像を４分割した例を示す。全体サイズ１８０２は、原画像の残帯のサイズを示している。位置１８０３は、分割した画像の分割位置（左上頂点の位置）を（Ｘ座標、Ｙ座標）で示している。Ｘ座標、Ｙ座
標について図１９で説明する。水平サイズ１８０４は、分割した画像の水平サイズである。垂直サイズ１８０５は、分割した画像の垂直サイズである。また、図１８では、分割方法として、画像を垂直方向に４等分している。ただし、画像サイズ、分割数、分割方法は、図１８の方法に限定されず任意の方法で分割可能とする。図１９は、分割画像を示した図である。符号１９０３は、画像出力装置１１１が送出する全体の画像を示す。符号１９０４は、分割された画像を示す。符号１９０１は分割画像１９０４の分割位置のＸ座標を示し、符号１９０２は分割画像１９０４の分割位置のＹ座標を示す。
【００８８】
図２０は、信号線１１４を介して表示装置１６０１が画像出力装置１１１に分割画像データを要求する際のフォーマットの例を示している。図２０は、水平サイズ３８４０、垂直サイズ２１６０の画像を垂直方向に４等分に分割した画像データを要求する際の要求データの例である。図２０には、要求画像２００１と、その分割画像の範囲を示す転送データ２００２が対応付けられている。
【００８９】
転送データ２００２のフォーマットについて、図２１により説明する。図２１は、表示装置１６０１が信号線１１４を経由して画像出力装置１１１に、要求する分割画像データの範囲を示す転送データ２００２のフォーマットを説明する図である。符号２１０１は、要求する画像全体の水平サイズを示す。符号２１０２は、要求する画像全体の垂直サイズを示す。符号２１０３は、分割する画像の水平方向の位置を示す。符号２１０４は、分割する画像の垂直方向の位置を示す。符号２１０５は、分割した画像の水平サイズを示す。符号２１０６は、分割した画像の垂直サイズを示す。
【００９０】
画像出力装置１１１から信号線１１３よりi番目の画像が入力されると、表示装置１６
０１は、ＨＤＭＩレシーバ１０２によって受信された画像をメモリ１０９へ書き込む（Ｓ１７０５）。図２２は、i番目の画像が、メモリ１０９へ格納された状態を示す。
【００９１】
Ｎ分割された画像の全てをメモリ１０９に書き込んだ場合（Ｓ１７０３がＹＥＳ）は、制御部１１０は、画像合成部１６０２を起動し、ＨＤＭＩレシーバ１０２、画像処理部１０３〜１０５、出力処理部１０７を停止する（Ｓ１７０７）。そして、画像合成部１６０２が、ＨＤＭＩレシーバ１０２によってメモリ１０９へ書き込まれた分割画像に画像合成処理を施し、画像合成後の画像をメモリ１０９に書き込む（Ｓ１７０８）。画像合成部１６０２が、分割画像を合成する例を図２３に示す。図２３（Ａ）は、ＨＤＭＩレシーバ１０２が、Ｎ分割された画像をメモリに書き込んだ状態を示す。図２３（Ｂ）は、画像合成部１６０２が、Ｎ分割された画像２３０１、２３０２等を合成し、一つの画像２３０３としてメモリ１０９に書き込んだ状態を示す。
【００９２】
画像合成部１６０２が合成した画像をメモリ１０９に書き込んだ後、制御部１１０は、画像処理部１０３を起動し、ＨＤＭＩレシーバ１０２、画像合成部１６０２、画像処理部１０４、１０５、出力処理部１０７を停止する（Ｓ１７０９）。そして、画像処理部１０３が、画像合成部１６０２によってメモリ１０９へ書き込まれた画像に画像処理を施し、画像処理を施した画像をメモリ１０９に書き込む（Ｓ１７１０）。
【００９３】
画像処理部１０３が１フレーム分の画像をメモリ１０９に書き込んだ後、制御部１１０は、画像処理部１０４を起動し、ＨＤＭＩレシーバ１０２、画像合成部１６０２、画像処理部１０３、画像処理部１０５、出力処理部１０７を停止する（Ｓ１７１１）。そして、画像処理部１０４が、画像処理部１０３によってメモリ１０９へ書き込まれた画像に画像処理を施し、画像処理後の画像をメモリ１０９に書き込む（Ｓ１７１２）。
【００９４】
画像処理部１０４が１フレーム分の画像をメモリ１０９に書き込んだ後、制御部１１０は、画像処理部１０５を起動し、ＨＤＭＩレシーバ１０２、画像合成部１６０２、画像処
理部１０３、画像処理部１０４、出力処理部１０７を停止する（Ｓ１７１３）。そして、画像処理部１０５が、画像処理部１０４によってメモリ１０９へ書き込まれた画像に画像処理を施し、画像処理後の画像をメモリ１０９に書き込む（Ｓ１７１４）。
【００９５】
画像処理部１０５が１フレーム分の画像をメモリ１０９に書き込んだ後、制御部１１０は、出力処理部１０７を起動し、ＨＤＭＩレシーバ１０２、画像合成部１６０２、画像処理部１０３、画像処理部１０４、画像処理部１０５を停止する（Ｓ１７１５）。そして、出力処理部１０７が、画像処理部１０５によってメモリ１０９へ書き込まれた画像を表示部１１５に出力する（Ｓ１７１６）。
【００９６】
図２４は、画像出力装置１１１の送出する画像が動画と静止画との間で切り換る際に、画像出力装置１１１と表示装置１６０１とが、信号線１１４を経由して送受信する制御信号を説明するための図である。
【００９７】
符号２４０２で示すように、画像出力装置１１１の送出信号が動画から静止画に切り換ると、符号２４０９で示すように、画像出力装置１１１から表示装置１６０１に、静止画を送出していることを通知する「静止画通知」が送信される。表示装置１６０１は、「静止画通知」を受信すると、符号２４１４で示すように、画像出力装置１１１に、高解像度データの送出を要求する。
【００９８】
符号２４０３で示すように、画像出力装置１１１の送出信号が静止画から動画に切り換ると、符号２４１０で示すように、画像出力装置１１１から表示装置１６０１に、動画を送出していることを通知する「動画通知」が送信される。表示装置１６０１は、「動画通知」を受信すると、符号２４１５で示すように、画像出力装置１１１に、高解像度データの送出解除を要求する。
【００９９】
符号２４０４、２４０５、２４０６のように静止画が連続する場合、画像出力装置１１１は、符号２４１１で示すように、「静止画通知」と「１枚あたりの表示時間」を送信する。表示装置１６０１は、「静止画通知」と「１枚あたりの表示時間」を受信すると、符号２４１６で示すように、画像出力装置１１１に、高解像度データの送出を要求する。
【０１００】
符号２４０７に示すように、画像出力装置１１１の送出画像が、再び動画に切り換る際は、符号２４１２で示すように、画像出力装置１１１から表示装置１６０１に、動画を送出していることを通知する「動画通知」が送信される。表示装置１６０１は、「動画通知」を受信すると、符号２４１７で示すように、画像出力装置１１１に、高解像度データの送出解除を要求する。
【０１０１】
また、符号２４０４、２４０５、２４０６のように静止画が連続する場合は、画像が切り換る度に、画像出力装置１１１が「静止画通知」を送信してもよい。静止画が切り換る度に、画像出力装置１１１が、表示装置１６０１に「静止画通知」を送信する場合の状態を図２５に示す。符号２５０４、２５０５、２５０６は、画像出力装置１１１が連続して静止画像を送出している状態を示す。符号２５０４のように、画像出力装置１１１の送出画像が、動画から静止画に切り換ると、符号２５１１で示すように画像出力装置１１１から表示装置１６０１に、「静止画通知」を送信する。表示装置１６０１は、「静止画通知」を受信すると、符号２５１８に示すように、画像出力装置１１１に、高解像度データの送出を要求する。符号２５０５のように、画像出力装置１１１が送出する画像が、２枚目の静止画に切り換ると、２５１２で示すように画像出力装置１１１から表示装置１６０１に、再び「静止画通知」を送信する。表示装置１６０１は、「静止画通知」を受信すると、２５１９に示すように、画像出力装置１１１に、高解像度データの送出を要求をする。
【０１０２】
したがって、この実施の形態２では、ＨＤＭＩより入力されている映像信号が、画像出力装置からの静止画情報の通知により、静止画と判断された場合に、各画像処理部の稼動と停止を制御することで、高ビットの画像を処理できる処理モードに切り替えを行う。この時に、高解像度の画像の分割送出を画像出力装置に要求することで、静止画時に画像劣化を極力抑えた処理を実現し、高画質な画像の表示が可能となる。この際、画像出力装置から画像を分割して送出しているので、画像出力装置および表示装置で対応可能な画像データフォーマット以上に高画質な画像を表示可能となる。
【０１０３】
なお、本実施形態では第１の実施形態と同様に、静止画処理モード時に、動画処理モード時よりも高ビットの画像信号を画像出力装置から取得するようにしているが、同じビット数の画像信号を取得しても良い。１回に送出される画像信号のビット数が同じであっても、原画像を分割して送信しているため、高解像度で画像を送信することができるからである。したがって、この場合も、静止画時に画像劣化を極力抑えた処理を実現し、高画質な画像の表示が可能となる。
【０１０４】
（第３の実施形態）
第３の実施形態では、表示装置１０１の静止画／動画判断部１０８が、画像変化の時間の間隔を測定することで、静止画／動画の判断を行う。すなわち、所定の間隔で出力画像の切り替えを判断することで画像変化の時間間隔を測定し、この時間間隔が複数の画像にわたって同じである場合に、静止画であると判断する。このように、画像が一定の時間間隔で変化することは、画像出力装置１１１がスライドショー機能を備えている場合に生じる。
【０１０５】
本実施形態における静止画／動画の判断方法を図２６を用いて説明する。符号２６０１は、画像出力装置１１１が送出する画像を示す。符号２６０３、２６０４、２６０５、２６０６は、画像出力装置１１１が同じ画像を送出している時間間隔を示す。また符号２６０２は、時間軸を示す。表示装置１０１では、第１の実施形態と同様の方法（図１５）により、画像出力装置１１１が送出してくる画像が一致しているか否かを判断する。その結果、同じ画像が送られてくる画像の時間間隔（１つの画像の継続時間）が同じであれば、つまりは、ΔＴ１，ΔＴ２，ΔＴ３の値が同じであれば、静止画像が画像出力装置１１１より送出されている判断する。ここでは、３つの画像の表示されている時間間隔が一致した場合に、静止画像と判断したが、静止画像だと判断するために比較する数は、これに限定されない。
【０１０６】
また、スライドショーにおいて、図２７の符号２７０７、２７０８、２７０９で示す期間のように、静止画像表示と静止画像表示の間のアニメーション効果等により、静止画像と判断できない区間が存在する場合がある。そのため静止画像表示の時間間隔と、アニメーションなどの動画表示の時間間隔を測定する。そして、一定時間内の動画表示が計測された場合に、複数の静止画表示時間が一定だと計測できれば、静止画像だと判断する。つまり、符号２７０７、２７０８、２７０９で示す期間が１０秒以下で、ΔＴ１，ΔＴ２，ΔＴ３の値が同じであれば、静止画像が画像出力装置１１１より送出されている判断する。本実施形態では、ΔＴ１，ΔＴ２，ΔＴ３の期間をスライドショーのアニメーション期間と判断する為の時間を１０秒以下としているが、判断する時間はこれに限定されない。また、アニメーション期間と判断できる期間では、表示装置１０１は映像信号処理モードを動画処理モードへ移行する。
【０１０７】
また、表示装置１０１の静止画／動画判断部１０８の静止画／動画を、図示しない画質設定モード選択メニュー画面において、ユーザが写真視聴用の画質モードを選択したことを検出することによって行う。
【０１０８】
リモコン信号の受光部に表示装置１０１用以外のリモコンコードの受光と  画像出力装置１１１が送出してくる映像信号が、同期して変化する場合に、静止画が出力されている判断しても良い。画像出力装置１１１のスライドショー等の設定によって、リモコン操作によって次のスライドを視聴する場合に、静止画／動画の判定を行うことが可能となる。
【０１０９】
したがって、表示装置で、画像出力装置が送出する画像の切り替わりの間隔を検出することにより、静止画／動画判断することで、静止画時に画像劣化を極力抑えた処理を実現し、高画質な画像の表示が可能となる。
【図面の簡単な説明】
【０１１０】
【図１】第１の実施形態に係る表示装置の概略構成を示すブロック図である。
【図２】第１の実施形態に係る表示装置の動作を説明するためのフローチャートである。
【図３】第１の実施形態に係る表示装置が動画映像を表示する時の動作を説明するためのフローチャートである。
【図４】第１の実施形態に係る表示装置が動画映像を表示する時のデータ遷移を説明するための説明図である。
【図５】第１の実施形態に係る表示装置が静止画像を表示する時の動作を説明するためのフローチャートである。
【図６】第１の実施形態に係る表示装置が静止画像を表示する時のデータ遷移を説明するための説明図である。
【図７】第１の実施形態に係る表示装置が動画映像を表示する時のメモリ使用方法を説明するための説明図である。
【図８】第１の実施形態に係る表示装置が静止画像を表示する時のメモリ使用方法を説明するための説明図である。
【図９】第１の実施形態に係る表示装置が、画像出力装置に要求する画像フォーマットを決定する動作を説明するためのフローチャートである。
【図１０】第１の実施形態に係る表示装置が、画像出力装置に要求する画像フォーマットを決定するために使用する画像出力装置が送出できる画像フォーマットを説明するための説明図である。
【図１１】第１の実施形態に係る表示装置が、画像出力装置に要求する画像フォーマットを決定するために使用する表示装置が受信できる画像フォーマットを説明するための説明図である。
【図１２】第１の実施形態に係る表示装置が、画像出力装置に要求する画像フォーマットを決定する処理を説明するための説明図である。
【図１３】第１の実施形態に係る表示装置が、画像出力装置に要求する画像フォーマットを決定するために使用する優先度テーブルを説明するための説明図である。を説明するための説明図である。
【図１４】第１の実施形態に係る表示装置が動画／静止画を判定する処理を説明するための説明図である。
【図１５】第１の実施形態に係る表示装置が動画／静止画を判定する処理を説明するための説明図である。
【図１６】第２の実施形態に係る表示装置の概略構成を示すブロック図である。
【図１７】第２の実施形態に係る表示装置が静止画像を表示する時の動作を説明するためのフローチャートである。
【図１８】第２の実施形態に係る表示装置が静止画像を分割するために、画像出力装置へ要求する信号を説明するための説明図である。
【図１９】第２の実施形態に係る表示装置が静止画像を分割する方法を説明するための説明図である。
【図２０】第２の実施形態に係る表示装置が静止画像を分割するために、画像出力装置へ要求する信号の説明するための説明図である。
【図２１】第２の実施形態に係る表示装置が静止画像を分割するために、画像出力装置へ要求する信号の意味を説明するための説明図である。
【図２２】第２の実施形態に係る表示装置が静止画像を分割して、受信した際のメモリ使用方法を説明するための説明図である。
【図２３】第２の実施形態に係る表示装置が分割した画像を合成する再のメモリ使用方法を説明するための説明図である。
【図２４】第２の実施形態に係る表示装置が、画像出力装置との制御信号を説明するための説明図である。
【図２５】第２の実施形態に係る表示装置が、画像出力装置との制御信号を説明するための説明図である。
【図２６】第３の実施形態に係る表示装置が、画像出力装置が静止画像を出力しているか否かを判断する処理を説明するための説明図である。
【図２７】第３の実施形態に係る表示装置が、画像出力装置がアニメーションを伴って静止画像を出力しているか否かを判断する処理を説明するための説明図である。
【符号の説明】
【０１１１】
１０１、１６０１  表示装置
１０２  ＨＤＭＩレシーバ
１０３  画像処理部
１０４  画像処理部
１０５  画像処理部
１０７  出力処理部
１０８  静止画動画判定部
１０９  メモリ
１１０  制御部
１１１  画像出力装置
１１２  ＨＤＭＩトランスミッタ
１１３、１１４  信号線
１１７  通信制御部
１６０２  画像合成部
【図１】
2010004353.tif 000003
【図２】
2010004353.tif 000004
【図３】
2010004353.tif 000005
【図４】
2010004353.tif 000006
【図５】
2010004353.tif 000007
【図６】
2010004353.tif 000008
【図７】
2010004353.tif 000009
【図８】
2010004353.tif 000010
【図９】
2010004353.tif 000011
【図１０】
2010004353.tif 000012
【図１１】
2010004353.tif 000013
【図１２】
2010004353.tif 000014
【図１３】
2010004353.tif 000015
【図１４】
2010004353.tif 000016
【図１５】
2010004353.tif 000017
【図１６】
2010004353.tif 000018
【図１７】
2010004353.tif 000019
【図１８】
2010004353.tif 000020
【図１９】
2010004353.tif 000021
【図２０】
2010004353.tif 000022
【図２１】
2010004353.tif 000023
【図２２】
2010004353.tif 000024
【図２３】
2010004353.tif 000025
【図２４】
2010004353.tif 000026
【図２５】
2010004353.tif 000027
【図２６】
2010004353.tif 000028
【図２７】
2010004353.tif 000029